(57)【要約】【課題】本発明は、固有情報が保護層側から目視できないように隠蔽性を有する低融点金属薄膜層により隠蔽されており、その低融点金属薄膜層の加熱により溶融した部分が隠蔽性を消失し、視認可能となる固有情報を記録・表示する情報表示媒体およびその表示媒体の情報改ざん・偽造を容易に確認できる真偽判定方法を提供することを目的とするものである。【解決手段】基材上に、少なくとも印刷情報層、低融点金属薄膜層および保護層を有する情報表示媒体において、前記印刷情報層は、可視領域を除く特定の波長による外部刺激により可視域の光を発する発光材料を含有し、かつ前記保護層は、該発光材料が可視域の光を発する外部刺激を吸収もしくは遮断する材料を含有することを特徴とする情報表示媒体およびその真偽判定方法である。【選択図】図１
2004114350.tif 000002
【特許請求の範囲】
【請求項１】
基材上に、少なくとも印刷情報層、低融点金属薄膜層および保護層を有する情報表示媒体において、前記印刷情報層は、可視領域を除く特定の波長による外部刺激により可視域の光を発する発光材料を含有し、かつ前記保護層は、該発光材料が可視域の光を発する外部刺激を吸収もしくは遮断する材料を含有することを特徴とする情報表示媒体。
【請求項２】
前記基材と低融点金属薄膜層の間に、絵柄、文字あるいは数字のいずれか少なくとも１以上の印刷による印刷情報部を有していることを特徴とする請求項１記載の情報表示媒体。
【請求項３】
前記基材が透明であって、該基材の一方の側に前記低融点金属薄膜および保護層を設け、該基材の他方の側に絵柄、文字あるいは数字のいずれか少なくとも１以上の印刷による印刷情報部、および隠蔽層を有していることを特徴とする請求項１記載の情報表示媒体。
【請求項４】
請求項１〜３のいずれか１項に記載の情報表示媒体の前記発光材料に対応する前記外部刺激を、真偽判定の対象とするある情報表示媒体に与えて、該可視域の光を発するか否かの情報を用いて真偽判定を行うこを特徴とする情報表示媒体の真偽判定方法。
【発明の詳細な説明】
【０００１】
【発明の属する技術分野】
本発明は、固有の可視情報を表示する情報表示媒体に関し、特に低融点金属を加熱手段によって一部を溶解せしめ、固有情報を記録・表示する情報表示媒体、あるいは、低融点金属によって隠蔽されていた情報が表示される情報表示媒体およびその真偽判定方法に関する。
【０００２】
【従来の技術】
従来、低融点金属を部分的に熱破壊せしめ、情報を表示する媒体としては、プリペイドカードやポイントカード等、広く使用されている。
これらの媒体は、プリペイドカードの使用状況や使用可能な残額の表示に使用されており、機械に通すことなく、使用者が目視でこれらの情報を確認することを可能としている。また、ポイントカードにおいては獲得したポイント等、サービスを受けられる権利情報の表示に使用されている。
一方、低融点金属を熱破壊し、その部分に隠された情報を確認する情報表示媒体として、抽選券、くじ等にも利用される。すなわち、低融点金属で予め絵柄情報を隠蔽しておき、購入者が選んだ部分を熱破壊し、露出した下地の絵柄で当選したか否かを確認する。あるいは、購入者が権利を与えられたいくつかの部分を熱破壊し、下地の絵柄が複数一致することで当選とする方式等、さまざまな抽選券に利用可能である。
【０００３】
しかしながら、これらで使用されるＳｎやＡｌなどに代表される低融点金属膜はコインや針等の金属を用いて、無理やり削り取ることが可能である。プリペイドカードやポイントカードにおいては表示情報を容易に改ざんし、不正に使用することが考えられる。抽選券においては、予め与えられた数よりも多くの部分を削り、あたかも当選したかのように見せかけたり、さらには、低融点金属をすべて除去した後、当選となる絵柄の文字情報を確認し、再び金属で隠蔽して、当選する表示情報部位のみを選び出すことも考えられる。
【０００４】
【発明が解決しようとする課題】
本発明は、上記の問題点を解決すべくなされたものであり、固有情報が保護層側から目視できないように隠蔽性を有する低融点金属薄膜層により隠蔽されており、その低融点金属薄膜層の加熱により溶融した部分が隠蔽性を消失し、視認可能となる固有情報を記録・表示する情報表示媒体およびその表示媒体の情報改ざん・偽造を容易に確認できる真偽判定方法を提供することを目的とするものである。
【０００５】
【課題を解決するための手段】
上記目的を達成するために、請求項１の発明は、基材上に、少なくとも印刷情報層、低融点金属薄膜層および保護層を有する情報表示媒体において、前記印刷情報層は、可視領域を除く特定の波長による外部刺激により可視域の光を発する発光材料を含有し、かつ前記保護層は、該発光材料が可視域の光を発する外部刺激を吸収もしくは遮断する材料を含有することを特徴とする情報表示媒体である。
ここで、「吸収もしくは遮断する」を説明する。発光材料にその外部刺激がもし十分に届かなければ、発光したとしても発光を確認し難く、また、外部刺激が完全に届かなければ発光しない。「吸収もしくは遮断する」とは、この外部刺激を十分には、または、完全には届かせない作用を生じさせることになる。
【０００６】
請求項２記載の発明は、前記基材と低融点金属薄膜層の間に、絵柄、文字あるいは数字のいずれか少なくとも１以上の印刷による印刷情報部を有していることを特徴とする請求項１記載の情報表示媒体である。
【０００７】
請求項３記載の発明は、前記基材が透明であって、該基材の一方の側に前記低融点金属薄膜および保護層を設け、該基材の他方の側に絵柄、文字あるいは数字のいずれか少なくとも１以上の印刷による印刷情報部、および隠蔽層を有していることを特徴とする請求項１記載の情報表示媒体である。
【０００８】
請求項４記載の発明は、請求項１〜３のいずれか１項に記載の情報表示媒体の前記発光材料に対応する前記外部刺激を、真偽判定の対象とするある情報表示媒体に与えて、該可視域の光を発するか否かの情報を用いて真偽判定を行うこを特徴とする情報表示媒体の真偽判定方法である。
【０００９】
【発明の実施の形態】
以下に、本発明の実施の形態を詳細に説明する。
図１は、本発明による情報表示媒体の基本的な一実施例を示す断面図である。図１に示すように、本発明による情報表示媒体は、基材１１の一方の側に、検証可能な発光材料を含有してなる印刷情報部１２、低融点金属薄膜層１３、該印刷情報部の発光材料の外部刺激を吸収若しくは遮断する材料を含有してなる保護層１４が設けられている。
このような、情報表示媒体は低融点金属層１２を熱で破壊し、印刷情報を見ることが可能となる。この熱破壊を行った際に、保護層は除去されず、低融点金属薄膜のみが除去されるが、コインや針で低融点金属薄膜層を除去しようと試みると、低融点金属薄膜層のみならず保護層まで破壊されてしまう。本発明のように発光材料を印刷情報部１２に添加しておき、該印刷情報部を発光させる外部刺激を吸収若しくは遮断する材料を保護層１４に添加してあれば、紫外線等の外部刺激を与え、発光の有無を確認することで、熱破壊によって印字されたものか、コインや針で無理やり除去されたものかを容易に判別することが可能となる。
【００１０】
また、図２、３に示した抽選券の実施例においても同様な効果が得られる。
図２は基材１１の一方の側に、抽選情報となる検証可能な発光材料を含有する印刷情報部１２、および印刷情報部を隠蔽するように全面あるいは一部に設けられた低融点金属薄膜層１３、該印刷情報部の発光材料を発光させる外部刺激を吸収若しくは遮断する材料を含有してなる保護層１４が順次積層してなる。一方、図３に示す構成は、透明基材３１の一方の側に、低融点金属薄膜層１３、保護層１４が設けられ、他方の側に印刷情報層１２と隠蔽層１５が設けられた構成である。いずれも、低融点金属層１３を熱破壊し、情報を記録するあるいは印刷情報１２を確認する構成となっている。
【００１１】
これらの構成の場合でも保護層側から印刷情報層１２の発光有無を確認することで、正規に熱破壊によって低融点金属薄膜層１３が除去されたものであるのか、無理やり破壊されたものであるのかが容易に判別される。また、低融点金属薄膜層１３すべてを除去し、印刷情報部１２を確認した後、新たに金属薄膜を設けたとしても、発光の有無で偽造品を見分けることが可能となる。
【００１２】
以下、各構成の材料および製法に関して詳細に説明する。
基材１１、透明基材３１は公知のフィルムやシートが使用可能であり、加工適性や操作性、耐久性等に応じて、適宜選択され使用可能である。基材１１は、低融点金属箔膜層１３とのコントラスト差によって情報を表示することも可能である。すなわち、低融点金属層１３の色相（金属色）と異なる色で着色されているのが望ましい。着色手段としては、フィルム生成時に各種顔料や染料を練り込んでも良いし、フィルム生成後に公知印刷手段や化学処理によって着色しても良い。透明基材３１においては、印刷情報層１２を確認する際に保護層１４側から透明基材３１を通して行う。よって、該透明基材３１の場合には印刷情報層１２を発光させる外部刺激を、吸収若しくは遮断しない材質であるものを選定する必要がある。透明基材３１に関する透明の基準としては、可視域において裏面の印刷情報層１２が判別できれば良く、有色・半透明等も透明の範疇に入るものあり、全くの無色透明という意味では無い。基材１１及び透明基材３１は後に設ける印刷情報層や隠蔽層１５を設けやすい様に、コロナ放電処理やフレーム処理、ケミカルマット処理や易接着コーティング、各種プリンター用受像層塗布等の加工を行うことも可能である。また、基材１１及び透明基材３１は必ずしも単層である必要は無く、複数の積層体であっても構わない。内部にＩＣチップやアンテナに代表される機械読み取り（管理）用部材を配備しても良いし、異なる屈折率、例えば、低屈折率／高屈折率の複数積層体のフィルムを交互に組み合わせて、光学干渉膜として更なる偽造防止効果を付与しても良い。
【００１３】
印刷情報層１２は抽選に用いられる情報や、低融点金属箔膜層１３との組み合わせによるコントラスト差にて情報を表示する層であり、可視領域を除く特定の波長による外部刺激により可視域の光を発するインクで形成されている。印刷情報層１２は、バインダーとなる樹脂と発光材料、更に染料・顔料等色材、滑材や各種添加剤が用途（プリンターや印刷機との相性）に応じて添加される。印刷情報層１２の形成手段は、オフセット印刷法、シルクスクリーン印刷法、グラビア印刷法、フレキソ印刷法、インクジェット法、転写リボンを用いた熱転写法、レーザー印字、熱発色など公知の印刷方法やプリンター等が使用され、文字、記号、数字、図形、または画像が描かれる。また、市販のインクジェットプリンター等を用いて情報を記録する際に発光材料を添加することが困難である場合には、別途発光材料層を含有した透明なインクを用いて第二の印刷情報層を設けても良い。この場合には第一の印刷情報層や基材を全面に覆う形で設けても良いし、一部分のみを覆う様に設けても良い。また、第二の印刷情報層のみで、固有の情報パターンを形成しても良い。発光材料の外部刺激は、可視領域を除く領域に限定する必要がある。その理由としては、後に説明する保護層１４には、該印刷情報層１２の発光材料を吸収若しくは遮断する材料を添加する。よって、印刷情報層１２が可視領域の外部刺激により発光する材料を使用した場合には、保護層１４には可視光を吸収若しくは遮断する材料を添加しなければならない。すなわち、可視領域の外部刺激を吸収若しくは遮断するということは、印刷情報層の確認が目視では不可能になってしまうのである。ただし、目視での確認を必要とせず、機械読み取りに限定する場合は、可視領域の外部刺激により発光する材料を使用することも可能な例として挙げられる。
【００１４】
上述した発光材料は外部刺激により可視域の光を発するものであり、紫外線・赤外線・電子線・Ｘ線・放射線・電界・化学反応等の外部刺激により発光する蛍光体・燐光体・畜光体等が挙げられる。上記発光材料は、印刷情報層１２を形成してなるバインダー樹脂に適宜添加して使用される。その添加量としては０．５〜８０％の範囲内で添加するのが望ましい。０．５％以下の添加量では十分な発光が得られず、８０％以上の添加量になるとバインダー樹脂との結着力が弱くなり、最終製品としての耐性が弱くなる。
【００１５】
次に、これら発光材料に関して詳しく説明する。
蛍光体は、外部からの刺激（励起）により可視域付近の光を発するものであるが、励起の停止後に目に感じられる程度の時間（０．１ｓｅｃ程度）以上の残光が続くものを燐光体という。また、長残光のものを畜光体と呼ぶ。
【００１６】
蛍光性物質としては、次のものが挙げられる。
紫外線発光蛍光剤は、紫外線により励起され、これよりも低いエネルギー準位に戻るときに発するスペクトルのピークが青、緑、赤等の波長域にあるものであり、硫化亜鉛やアルカリ土類金属の硫化物の高純度蛍光体に、発光をより強くするために微量の金属（銅、銀、マンガン、ビスマス、鉛など）を付活剤として加えた後、高温焼成にて得られる。母体結晶と付活剤の組み合わせにより、色相、明るさ、色の減衰の度合いを調整できる。
【００１７】
一方、赤外線発光蛍光剤は、赤外光で励起し、可視光に発光する赤外可視変換蛍光剤と、赤外光で励起し、より長波長に発光するものがある。前者の赤外可視変換蛍光剤は、非常に特殊な励起機構を持つ蛍光体であり、エネルギーの小さな赤外線の光子を複数個用いることによって可視発光の励起を行う。これらの発光機構には２つのタイプがあり、一方は付活剤イオンの中の多段階の励起によって、他方は増感剤からの複数回の共鳴エネルギー伝達によって、それぞれ高い励起が可能になる。先のタイプは、Ｅｒ３＋やＨｏ３＋を付活剤とする多くの母体結晶で観測され、後のタイプは増感剤Ｙｂ３＋が赤外線を吸収し、多段階のエネルギー伝達によって発光中心のＥｒ３＋、Ｔｍ３＋、Ｈｏ３＋等を高い準位に励起する。
また、母体結晶として硫化物（ＺｎＳ、ＣｄＳ）や酸硫化物（Ｙ２Ｏ２Ｓ）のように電子の移動度が大きく、光導電性を持った半導体的物質は、電子線励起蛍光体として使用することが可能である。
【００１８】
一方、Ｘ線や粒子線などの放射線に対して効率の高い蛍光体（Ｚｎ、Ｃｄ）Ｓ：Ａｇや、電気エネルギーを直接ルミネッセンスに変える電界発光蛍光体も使用可能な例として挙げておく。
さらには、上記の蛍光材料以外にも、ジアミノスチルベンジルスルホン酸などのスチルベン系、ジアミノジフェニル系、イミダゾール系、チアゾール系、クマリン系、ナフタールイミド系、チオフェン系などの有機系の顔料や染料を使用しても良い。これらは、複数の材料を混ぜて使用することができる。一例を挙げると、外部刺激が２５４ｎｍの光で赤く発光する蛍光材料▲１▼と、外部刺激が３６５ｎｍの光で緑に発光する蛍光物質▲２▼を混ぜて使用すれば、それぞれの波長で検知を行うと赤・緑と異なる発光色を確認することができる。外部刺激値と発光色の異なる材料を複数組み合わせることによって、偽造・改竄防止効果は高くなり、その組み合わせは、可視領域の外部刺激を除いても無限となる。
【００１９】
低融点金属薄膜層１３としてはＳｎやＡｌ等からなる金属材料若しくはその合金による薄膜が挙げられるが、サーマルヘッド等の加熱手段において溶融・除去されるものであれば適宜選択され使用することができる。その形成方法も直接、蒸着法やスパッター法、ＣＶＤ法等の薄膜形成技術で形成する手法のみならず、予め薄膜を形成した転写箔を用いて全面あるいは部分的に設ける転写印刷法にて形成することも可能である。転写印刷法ににて形成する場合には、後述する保護層１４を剥離性保護層とすることにより同時に転写で設けられるメリットを有している。
【００２０】
保護層１４は有機高分子材料からなるバインダー樹脂に、上述した印刷情報層１２の一部を形成する発光材料の外部刺激を吸収若しくは遮断する材料を溶解あるいは、分散したものが使用される。その他、低融点金属箔膜層１２を除去するために用いられる印字機（プリンター）の機械耐性・フィード適性等を考慮し各種滑材や、熱伝導性を付与する感熱増感剤等が必要に応じて添加される。
【００２１】
保護層に添加する吸収材料について一例を挙げて説明する。印刷情報層１２が紫外線による外部刺激により発光する材料を選択した場合、最大吸収波長２００〜４００ｎｍの紫外線吸収剤を使用すれば良い。例えば、フェニルサリシレート、ｐ−ｔｅｒｔ−ブチルフェニルサリシレート、ｐ−オクチルフェニルサリシレート等のサリチル酸系紫外線吸収剤、２，４−ジヒドロキシベンゾフェノン、２−ヒドロキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン等のベンゾフェノン系紫外線吸収剤、２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’−ｔｅｒｔ−ブチル−５’−メチルフェニル）ベンゾトリアゾール、２−（２’−ヒドロキシ−３’，５’−ジｔｅｒｔ−ブチルフェニル）−５−クロロベンゾトリアゾール、２−（２’−ヒドロキシ−３’，５’−ジｔｅｒｔ−アミルフェニル）ベンゾトリアゾール等のベンゾトリアゾール系紫外線吸収剤、２−エチルヘキシル−２−シアノ−３，３’−ジフェニルアクリレート、エチル−２−シアノ−３，３−ジフェニルアクリレート等のシアノアクリレート系紫外線吸収剤等が挙げられる。
その他には、ＺｎＯやＴｉＯ２等の平均粒子径が１００ｎｍ以下である無機系微粒子や、紫外線吸収剤とアクリル樹脂等を共重合した紫外線吸収性樹脂なども使用可能である。
【００２２】
印刷情報層１２が赤外線による外部刺激により発光する材料を選択した場合には、以下の材料が使用例として挙げることができる。赤外線吸収物質としては可視領域に吸収が少ない赤外線吸収ガラス若しくは熱線吸収ガラスを粉砕、顔料化して求められるリン酸ガラス、硫酸ガラス等のガラス系材料が例示できる。すなわち、上記赤外線吸収物質がＦｅ２＋及び／又はＣｕ２＋を含有するガラス系粉末材料により構成されているものである。
これ以外には、光吸収性を有するシアニン系、フタロシアニン系、ジチオール金属錯塩系、ナフトキノン系、アントラキノン系、トリフェニルメタン系、アミニウム系、ジインモニウム系等の赤外線吸収性染料を適用することも可能である。
【００２３】
隠蔽層３５は印刷情報層を外部から判別不可能とするために設けられる層であり、ＡｌやＳｎのような光を反射する材料を蒸着法やスパッター法や転写印刷法で設けたり、Ａｌ粉末や酸化チタン粉末等を含有して成り、光を遮断する隠蔽性を有するインキを公知のコーティング法や印刷法にて設けることができる。より隠蔽性を向上すべく、これらの隠蔽層を複合して設けることも可能である。
【００２４】
また、意匠性を向上すべく情報表示媒体に様々な印刷を施すことや、各層の接着性を鑑み、各層間に接着アンカー層を設けることも可能である。さらには、機械的な処理に対応すべく、磁性材料からなる磁気層等の機械で読み書き可能な情報記録部を設けることも容易に考えられる。
【００２５】
【実施例】
本発明を、具体的な実施例をあげて詳細に説明する。
【００２６】
＜実施例１＞
図１に示した本発明の情報表示媒体の実施例を記す。
先ず、基材１１としての黒色ポリエチレンテレフタレートフィルム２００μｍ上に、紫外線（３６５ｎｍ）を照射すると可視光線（４９５ｎｍ：黄緑色）を発光する紫外蛍光材料を添加してなる印刷情報層１２を全面に設け、次に低融点金属蒸着層１３として蒸着法によりＳｎ（融点２３０℃）を１００ｎｍの厚さで設けた。
その上に保護層１４として、グラビアコーティング法によりにアクリル樹脂（＋ワックス系滑材）にベンゾトリアゾール系紫外線吸収剤を添加してなる組成物を厚さ１μｍで設け、本発明の情報表示媒体を得た。
【００２７】
＜比較例１＞
図１に示した本発明の情報表示媒体と同様に、基材となる白色ポリエチレンテレフタレートフィルム２００μｍ上に、黒色インキからなる印刷情報層１２を全面に設け、次に低融点金属蒸着層として蒸着法によりＳｎ（融点２３０℃）を１００ｎｍの厚さで設けた。
その上に保護層として、グラビアコーティング法により紫外線吸収材料を添加していないアクリル樹脂（＋ワックス系滑材）を厚さ１μｍで設け、比較例の情報表示媒体を得た。
【００２８】
＜実施例２＞
図４に示した本発明の情報表示媒体の実施例を記す。
先ず、透明基材３１としてのポリエチレンテレフタレートフィルム１８８μｍ上にグラビアコーティング法により接着アンカー層１６（ポリエステル樹脂）を３μｍ設け、その上に低融点金属蒸着層１２として蒸着法によりＳｎ（融点２３０℃）を１００ｎｍの厚さで設けた。
その上に保護層１３として、グラビアコーティング法により紫外線吸収剤を添加してなるアクリル樹脂（＋ワックス系滑材）を設けた。
【００２９】
次に、透明基材３１の低融点金属蒸着層１２と反対側に、紫外線の照射により蛍光を発する材料が分散されたインキを用いて製造された熱転写リボンにより、あらかじめプログラムされたゲームの情報を市販のサーマルプリンターにより逆文字（鏡面文字）にて印字して印刷情報層１２を形成した。　さらに、印刷情報層１２上にスクリーン印刷法により銀インキ（高分子樹脂＋アルミペースト）を隠蔽層１５として１０μｍ設けた。こうして抽選券等に使用される本発明の情報表示媒体を得た。
【００３０】
先ず、実施例１と比較例１で作成した情報表示媒体に、サーマルヘッドを用いて数字を印字した後、針を用いて数字を書き足す改ざんを行った。これらの情報表示媒体に紫外線を照射したところ実施例１では書き足された数字部分では発光が観察され、サーマルヘッドで印字した部分では発光が観察されず、改ざんされたことが容易に判明した。しかしながら、比較例ではもともと発光がないため、サーマルヘッドで印字された部分も後に書き足された部分の区別がつかず、改ざんを見破ることができなかった。
一方、実施例２においては低融点金属薄膜層１２の一部分をサーマルヘッドで除去し、下地の絵柄を観察できるようにした。その後、コインを用いて他の部分を削り、表示情報の改ざんを行った。
この情報表示媒体に紫外線を照射したところ、コインで破壊した部分で発光が観察され、改ざんされたことが容易に判明した。
以上のように作製された情報表示媒体は、実施例１及び実施例２、比較例１のいずれの構成においても、外観上は同じものであり偽造・改竄防止のトラップを見破られることは無いが、実施例１及び実施例２の構成は改竄を加えたときに初めて外部刺激により検知可能となる。すなわち、改竄を行う行為を行ったときに発現するものである。
【００３１】
【発明の効果】
本発明により、固有情報が保護層側から目視できないように隠蔽性を有する低融点金属薄膜層により隠蔽されており、その低融点金属薄膜層の加熱により溶融した部分が隠蔽性を消失し、視認可能となる固有情報を記録・表示する情報表示媒体の上記保護層に紫外線、赤外線、電子線、Ｘ線、放射線、電界、化学反応等の外部刺激により可視域の光を発する発光材料を含有することで、その表示媒体の情報の改ざん・偽造を容易に確認できる真偽判定方法を提供することが可能となった。
従って、本発明の情報表示媒体の低融点金属薄膜を一部除去し、情報の改ざんを行ったり、低融点金属薄膜をすべて剥離し、情報を確認した後、再び金属薄膜を設ける偽造手法に対しても、偽造品を容易に判別可能となる。
【図面の簡単な説明】
【図１】本発明による情報表示媒体の一実施例を示す断面図である。
【図２】本発明による抽選券に用いられる情報表示媒体の一実施例を示す断面図である。
【図３】本発明による抽選券に用いられる情報表示媒体の一実施例を示す断面図である。
【図４】本発明による抽選券に用いられる情報表示媒体の一実施例を示す断面図である。
【符号の説明】
１１・・・基材
１２・・・印刷情報層
１３・・・低融点金属薄膜層
１４・・・保護層
１５・・・隠蔽層
３１・・・透明基材
１６・・・接着アンカー層
【図１】
2004114350.tif 000003
【図２】
2004114350.tif 000004
【図３】
2004114350.tif 000005
【図４】
2004114350.tif 000006